(57)【特許請求の範囲】
【請求項１】
装着者の身体に沿って配置可能な基部、乳幼児の臀部を載置可能な座面を有する座部、
前記基部と前記座部とを回動可能に連結する連結部、前記基部に対する前記座部の回動角度を調整及び保持可能な角度調整部を有する台座と、
前記台座に対応した形状を有して前記台座を出し入れ可能に収容する収容部と、
前記収容部における前記基部が収容された基部領域に接続され、前記装着者の腰部に装着可能な腰ベルトと、を備えた、ヒップシートにおいて、
前記基部及び座部は、幅方向両側にリブを有する板状部材で形成され、
前記座部は、前記連結部から先端に向けて幅が漸減する形状に形成され、
前記連結部は、前記基部及び前記座部の幅方向両端部を回動可能に連結され、
前記角度調整部は、前記基部の支持面の反対面と前記座部の座面の反対面とを架設するように設けられ、前記基部に対する前記座部の回動角度が３０〜１８０度の範囲で調整可能であり、前記座部を回動させて前記乳幼児を乗せたときに、前記乳幼児の体重負荷を支持しつつ回動角度を維持可能なラチェット機構を有することを特徴とするヒップシート。
【請求項２】
前記基部は、前記装着者の身体により支持可能な支持部を有している、請求項１に記載のヒップシート。
【請求項３】
前記収容部における前記座部を収容する座部領域と前記基部領域との境界付近の前記座面側に前記乳幼児に装着可能な安全ベルトが設けられている、請求項１又は２に記載にヒップシート。
【請求項４】
請求項１乃至３の何れかに記載のヒップシートと、前記収容部における前記座部を収容する座部領域の先端部に着脱可能に連結されて、前記装着者との間で前記乳幼児の胴体部を保持する胴パッドと、前記胴パッドに接続されて前記装着者の肩に装着される肩ベルトと、を備えた、ベビーキャリア。
【発明の詳細な説明】
【技術分野】
【０００１】
本発明は、ヒップシートと、ヒップシートを利用したベビーキャリアと、に関する。
【背景技術】
【０００２】
従来、ウエストバッグのように装着者の腰に装着して、乳幼児を着座姿勢で保持する種々のヒップシートが知られている。
例えば下記特許文献１では、芯材が収容されたバッグ本体にウエストベルトが接続されて、前カバーに吊りバンドを出し入れ可能な開閉口が設けられたベビーホルダ兼用ウエストバッグが提案されている。このベビーホルダ兼用ウエストバッグでは、硬質合成樹脂等により座板部及び腰当て部が断面略Ｌ字状に成形された芯材が、面ファスナでバッグ本体に固定されていた。
乳幼児を長時間抱っこする際には、芯材が配置された状態でバッグ本体上座らせて吊りバンドを利用して抱っこできるようにしていた。
【０００３】
下記特許文献２には、バッグの上面壁に、着脱可能に乳幼児の臀部を受ける座部と、前方に立ち上がるパッド壁とを備えるとともに、装着者の下腹部に支持されて前方に突出する芯材を備えた乳幼児保持具などが提案されていた。この乳幼児保持具ではウエストバッグと同様の構成であって、乳幼児が成長して抱く必要がなくなったときには、座部、パッド壁、芯材などを取り外してウエストバッグとして使用できようにしていた。
【０００４】
下記特許文献３では、当て板収容部に収容されて装着者の腰に装着されるベルトが一体に設けられた当て板と、座板と、背当て板とが折り畳み可能に設けられた子守帯などが提案されていた。この子守板では使用時に当て板から座板と背当て板とを引き出して腰掛け部を形成でき、不使用時に折り畳むことができるようにしていた。
【先行技術文献】
【特許文献】
【０００５】
【特許文献１】特開２００２−２６２９６９号公報
【特許文献２】特開２０００−２３８０１号公報
【特許文献３】特開平１１−２２５８５８号公報
【発明の概要】
【発明が解決しようとする課題】
【０００６】
しかしながら従来のウエストバッグとして使用可能な特許文献１、２等のヒップシートでは、バッグ内に芯材を確実に固定できれば着座姿勢で保持する乳幼児をしっかりと支えることができるものの、乳幼児を着座姿勢で保持しない場合には、芯材が嵩張り易く、たとえバッグから芯材を取り外したとしても芯材が嵩張るため持ち運び難く、使い勝手が悪かった。
【０００７】
また折り畳み可能な特許文献３のようなヒップシートでは、個々に収容された当て板と座板と背当て板とがリンク構造により折り畳み可能に連結されていて、当て板がベルトで装着者に装着された専用品のため、乳幼児をしっかり支えることはできるものの、ウエストバッグやベビーキャリアなどと併用する場合には使い勝手が悪かった。
【０００８】
そこで本発明では、乳幼児をしっかりと支えることができて使い勝手がよいヒップシートとベビーキャリアとを提供することを課題とする。
【課題を解決するための手段】
【０００９】
上記問題を解決するために本発明のヒップシートは、装着者の身体に沿って配置可能な基部、乳幼児の臀部を載置可能な座面を有する座部、前記基部と前記座部とを回動可能に連結する連結部、前記基部に対する前記座部の回動角度を調整及び保持可能な角度調整部を有する台座と、前記台座に対応した形状を有して前記台座を出し入れ可能に収容する収容部と、前記収容部における前記基部が収容された基部領域に接続され、前記装着者の腰部に装着可能な腰ベルトと、を備えた、ヒップシートにおいて、前記基部及び座部は、幅方向両側にリブを有する板状部材で形成され、前記座部は、前記連結部から先端に向けて幅が漸減する形状に形成され、前記連結部は、前記基部及び前記座部の幅方向両端部を回動可能に連結され、前記角度調整部は、前記基部の支持面の反対面と前記座部の座面の反対面とを架設するように設けられ、前記基部に対する前記座部の回動角度が３０〜１８０度の範囲で調整可能であり、前記座部を回動させて前記乳幼児を乗せたときに、前記乳幼児の体重負荷を支持しつつ回動角度を維持可能なラチェット機構を有することを特徴とする。
【００１０】
本発明のビップシートにおいては、基部が装着者の身体により支持可能な支持面を有しているのが好適である。
また本発明のヒップシートにおいては、収容部における座部を収容する座部領域と基部領域との境界付近の座面側に乳幼児に装着可能な安全ベルトが設けられているのが好適である。
【００１１】
上記課題を解決する本発明のベビーキャリアは、上述のようなヒップシートと、収容部における座部を収容する座部領域の先端部に着脱可能に連結されて、装着者との間で乳幼児の胴体部を保持する胴パッドと、胴パッドに接続されて装着者の肩に装着される肩ベルトと、を備えている。
【発明の効果】
【００１２】
本発明のヒップシートによれば、まず装着者の身体に沿って配置可能な基部と乳幼児の臀部を載置可能な座面を有する座部とを有する台座と、台座に対応した形状を有して台座を収容する収容部と、収容部に接続された腰ベルトとを備えている。そのため収容部に台座を収容して腰ベルトを装着者の腰に装着すれば台座を装着者に確実に固定できる。そして台座の強度を確保することで、乳幼児の体重を座部の座面で受け止めて基部により装着者の身体で支えることができ、台座を介して乳幼児の体重を装着者の身体で直接しっかりと支えることができる。
【００１３】
また、台座は基部と座部とが回動可能で回動角度を調整及び保持可能である。そのため乳幼児を着座姿勢で支えるときには、台座を収容部に収容して基部に対して座部が前方に突出して最適な角度に調整することで、座面により乳幼児をしっかりと支えることができる。一方、乳幼児を着座させないときは、基部と座部とを出来るだけ折り曲げたり平らにして邪魔になり難い形態にすれば、任意の場所に収容できて着座させないときにも使い勝手がよい。
【００１４】
さらに、装着者の腰部に装着可能な腰ベルトが、収容部における基部を収容する基部領域に接続されているので、腰ベルトによりヒップシートを装着者に確実に装着した状態であっても、座部を容易に回動させて回動角度を調整でき、乳幼児を着座させる際の使い勝手がよい。
従って乳幼児をしっかりと支えることができて使い勝手がよいヒップシートを提供することが可能である。
【００１５】
本発明のヒップシートにおいて、基部が装着者の身体により支持可能な支持部を有することで、ヒップシートに乳幼児を着座させて支持部が装着者の身体に押し付けられた際、支持部により乳幼児の体重を支えることができ、ヒップシートに乳幼児を着座させ易い。
【００１６】
本発明のヒップシートにおいて、収容部における座部を収容する座部領域と基部領域との境界付近の座面側に、乳幼児に装着可能な安全ベルトが設けられていれば、座面に着座姿勢で支持された乳幼児を安全ベルトを装着して安全に保持できる。しかも腰ベルトにより装着者に固定される基部領域付近の座面側に安全ベルトが設けられるため、乳幼児をしっかりと支持でき、ヒップシートからの落下等の事故を防止できる。
【００１７】
本発明のヒップシートにおいて、収容部の基部領域が装着者の身体との対向面以外の領域にウエストバッグ部を有していれば、台座の座部を突出させて乳幼児を着座姿勢で支持するときでも、乳幼児を着座姿勢で支持しないときでも、ウエストバッグ部を同じ形状で使用可能である。そのためウエストバッグ部を使用した状態で、乳幼児の着座姿勢で支持するか否かを容易に選択できる。しかも台座を収容部から取り出し可能であるため、乳幼児を着座姿勢で支持しないときには、台座を取り出すことなくウエストバッグ部を使用できる。そのため使い勝手を向上できる。
【００１８】
上記課題を解決する本発明のベビーキャリアによれば、上述のようなヒップシートの収容部における座部領域の先端部に胴パッドが着脱可能に連結され、胴パッドに肩ベルトが接続されているので、胴パッドを取り付けた状態では、ヒップシートの座部領域と胴パッドとにより乳幼児の臀部及び胴体部を保持し、さらに肩ベルトを装着者の肩に装着するとともにヒップシートの腰ベルトを装着者の腰に装着することで、ヒップシートの座部領域及び胴パッドにより乳幼児を抱くようにして、しっかりと支えることができるほか、台座の角度を調整することにより、装着者は乳幼児との適切な密着度を選択することが可能である。
一方、胴パッドを取り外した状態では、上述のようなヒップシートとして使用でき、使い勝手がよくて乳幼児をしっかりと支えることができる。
【００１９】
しかも胴パッドが座部領域の先端部に着脱可能なため、ヒップシートとベビーキャリアとの切替が容易で、装着者がヒップシートを装着した状態のまま胴パッドを着脱して切り替えることができ、使い勝手がよい。
従って、乳幼児をしっかりと支えることができて使い勝手がよいベビーキャリアを提供することが可能である。
【図面の簡単な説明】
【００２０】
【図１】本発明の実施形態に係るヒップシートを利用したベビーキャリアの装着状態（おんぶ状態）を示す斜視図である。
【図２】本発明の実施形態に係るヒップシートを利用したベビーキャリアの装着状態（抱っこ状態）を示す斜視図である。
【図３】本発明の実施形態に係るヒップシートを利用したベビーキャリアの正面図である。
【図４】本発明の実施形態に係るヒップシートの正面図である。
【図５】本発明の実施形態に係るヒップシートの斜視図である。
【図６】本発明の実施形態に係るヒップシートの台座を挿入する状態を示した図である。
【図７】本発明の実施形態に係るヒップシートの台座を示す背面図である。
【図８】本発明の実施形態に係るヒップシートの台座を示す側面図である。
【図９】本発明の実施形態に係るヒップシートの台座を示す斜視図である。
【図１０】本発明の実施形態に係るヒップシートの台座にクッション材を装着した状態を示す正面図である。
【図１１】本発明の実施形態に係るヒップシートの台座にクッション材を装着した状態を示す側面図である。
【図１２】本発明の実施形態に係るヒップシートの台座にカバーを装着した状態を示す正面図である。
【図１３】本発明の実施形態に係るヒップシートの安全ベルトを示す正面図である。
【図１４】本発明の実施形態に係る安全ベルトを装着したヒップシートの使用状態の台座を示す側面図である。
【図１５】本発明の実施形態に係るヒップシートの使用状態を示す側面図である。
【図１６】本発明の実施形態に係るヒップシートに乳幼児を乗せて安全ベルトを装着させた図である。
【発明を実施するための形態】
【００２１】
以下、本発明の実施形態について図を用いて詳細に説明する。
図１〜図３は本実施形態のヒップシート１０を用いたベビーキャリア４０を示している。このベビーキャリア４０は、ヒップシート１０と、ヒップシート１０に連結された胴パッド４１と、胴パッド４１に接続された肩ベルト４３と、を備えている。
【００２２】
まず本実施形態のヒップシート１０について説明する。
ヒップシート１０は、図４〜図６に示すように、硬質の台座１１と、台座１１を出し入れ可能に収容する収容部１３と、収容部１３に接続されて装着者Ａの腰部Ａ１に装着可能な腰ベルト１５と、を備えている。
【００２３】
台座１１は、図７から図９に示すように、収容部１３に収容されてヒップシート１０が使用される際、装着者Ａの身体に沿って配置可能な基部１７と、乳幼児Ｂの臀部Ｂ１を載置可能な座面１９ａを有する座部１９と、基部１７と座部１９とを回動可能に連結する連結部２１と、基部１７に対する座部１９の回動角度を調整及び保持可能な角度調整部２３と、を備えている。
【００２４】
基部１７及び座部１９は、幅方向両側にリブ１７ｂ，１９ｂを有する板状部材により形成されており、乳幼児の体重が負荷された際、大きな変形を生じない程度の強度を有する金属、樹脂、複合材等の硬質材料により形成されている。
基部１７及び座部１９は所望の形状を有し、できるだけ軽量の素材からなるのが好適である。本実施形態ではアルミニウムの板材により形成されているが、他の素材で形成してもよく、例えば、プラスチックやゴムなどの合成樹脂や、上記形状を形成することが可能な素材であれば、素材を限定することはない。
また、基部１７及び座部１９の形状は板状のほかに、両方もしくは一方をパイプ状やフレーム状などでもよく、乳幼児の体重を支持できる強度を確保可能な形状であれば適宜変更可能である。
【００２５】
基部１７は、装着者Ａの身体に適切に密着することで、乳幼児Ｂの体重が負荷された状態で、台座１１を装着者Ａに過度の負担無く安定に支えることができる形状に形成されている。本実施形態では、板材により形成されているため、基部１７の全幅に連続した略平坦な支持面１７ａを有しており、基部１７の全幅に連続した略平坦な支持面１７ａを有しており、使用時には支持面１７ａが装着者Ａの身体に配置された状態で押し付けられるようになっている。
なお、基部１７には後述するクッション材が被覆されており、実際の使用時には、クッション材が装着者Ａの身体に押し付けられるような構成となっている。
【００２６】
座部１９は、乳幼児Ｂを前向き又は後ろ向きの着座姿勢で支えた際、乳幼児Ｂの臀部Ｂ１を載置可能な形状に形成されており、座部の全幅に連続した略平坦な座面１９ａを有している。座面１９ａは乳幼児Ｂの臀部Ｂ１から体重が負荷された際、変形により沈み込むことがなく、臀部Ｂ１を載置可能である。
また本実施形態の座部１９は、座部１９の連結部２１側から先端部側に向けて幅が漸減する略台形形状に形成されていて、乳幼児Ｂを前向きに支持する際に跨ぎ易くなっている。
【００２７】
連結部２１は基部１７及び座部１９の幅方向両端部を回動可能に連結して構成されている。
角度調整部２３は、基部１７の支持面１７ａの反対面における幅方向の中間位置と、座部１９の座面１９ａの反対面における幅方向の中間位置との間を架設するように設けられている。詳細な図示は省略しているが、両中間位置にそれぞれ固定された状態で、基部１７と座部１９との回動により所定角度毎に角度を維持可能な構造を有するラチェット機構を備えている。本実施形態では、基部１７と座部１９との間の角度を３０度〜１８０度の範囲で所定角度毎に回動角度を維持可能となっている。
【００２８】
なお、角度調整部２３は、基部１７及び座部１９の形状によっては複数設けてもよく、また、通常のラチェット機構の他にボタン操作によって角度を調整可能なラチェット機構や、それ以外に所定の角度を維持可能な機構でもよい。
例えば、支持棒やアームで角度を固定する機構やヒンジによって所定の角度を調整できる機構、台車に設けられるハンドルを起立させて固定するような機構などといった機構を採用することも可能であるほか、これらの機構を組み合わせることも可能である。
【００２９】
本実施形態の台座１１は、そのまま使用することも可能であるが、図１０及び図１１に示すように台座１１の基部１７全体にクッション材１７ｃが被覆されている。乳幼児Ｂを支える際に基部１７を装着者Ａの身体にクッション材１７ｃを介して押し当てることで長時間でも押し当てる部分に痛みを伴うことなく使用することができる。
【００３０】
クッション材１７ｃは、ウレタン樹脂で形成しているが、他の合成樹脂や合成ゴム、布製などの素材で形成してもよく、基部１１の全体（一部でもよい）を被覆するような構成となっている。
【００３１】
また、図１２に示すように、台座１１には全体を覆うカバー１１ａを取り付ける。このカバー１１ａは、伸縮性のある素材で形成されており、台座１１を収容部１３に収容する際にカバー１１ａを取り付ける。
なお、台座１１の基部１７にクッション材１７ｃを設けない場合には、このカバー１１ａ本体にクッション材１７を設けるようにしてもよい（図示せず）。この場合、台座１１の基部１７に接する部分に基部１７と同程度の大きさのクッション材をカバーの内側（外側でもよい）に備えるような構造である。
また、基部１７に接する部分だけではなく、座部１９に接する部分にもクッション材を備える構造でもよい。
このカバーの場合も上記と同様、伸縮性のある素材で形成されており、台座１１全体を覆う形状であれば、形状について特に限定することはない。
【００３２】
そして、この台座１１は、基部１７と座部１９とを回動させて適宜な形態にすることで不使用時に収容しやすい形態にすることができる。例えば、基部１７と座部１９とを最小の回動角度まで回動させて折り曲げることで全長を小さくした形態にでき、一方、基部１７と座部１９とを１８０度付近まで広げることで、厚みを小さくした形態にすることも可能である。
【００３３】
収容部１３は、図４〜図６に示すように、台座１１を出し入れ可能に収容するもので、柔軟性を有する材料により形成されている。収容部１３には、基部１７を下に座部１９を上にして台座１１を立てた状態で、基部１７の支持面１７ａが装着者Ａ側、即ち後側となるようにして収容可能である。
収容部１３の下部には台座１１を出し入れ可能な開口部１３ａが設けられており、開口部１３ａには閉塞した状態を確実に維持できるファスナが設けられている。開口部１３ａから台座１１を収容部１３に収容してファスナにより開口部１３ａを閉塞することで、台座１１を収容部１３内の所定位置に配置可能となっている。
【００３４】
この収容部１３は、台座１１に対応した形状を有している。台座１１に対応した形状とは、収容された台座１１が収容部１３内で大きく位置や向きのズレが生じることなく安定した位置に配置可能な形状であればよい。また、台座１１の基部１７にクッション材１７ｃが被覆された状態でも収容することは可能である。
【００３５】
収容部１３は、例えば最大に展開した状態における台座１１の正面視形状の輪郭の全長及び最大幅に対応する幅及び全長を有し、好ましくは概略近似する正面視形状を有し、最大に展開した状態における台座１１の側面視形状の最大厚みと同等又はそれ以下の厚みを有する形状などであってもよい。
【００３６】
なお、クッション材１７ｃが被覆された台座１１を収容する場合には、収容部１３は、クッション材１７ｃの大きさと厚みを考慮した形状及び大きさであることが好ましい。
【００３７】
本実施形態の収容部１３では、台座１１が所定位置に配置可能に形成されているため、収容部１３は、台座１１の基部１７が収容される基部領域１３ｂと、回動部２１が収容されて回動時に変形する回動領域１３ｃと、座部１９が収容される座部領域１３ｄとが、下から順に境界なく連続して設けられている。
【００３８】
収容部１３の基部領域１３ｂにおいて、使用時に装着者Ａの身体と対向する対向面以外の領域に、本実施形態では収容部１３の基部領域１３ｂの前面側に、ファスナにより開閉可能なウエストバッグ部３３が設けられている。このウエストバッグ部３３には、適宜な物品を収容可能である。
【００３９】
腰ベルト１５は、収容部１３の基部領域１３ｂに接続されており、収容部１３の座部領域１３ｄ、好ましくは座部領域１３ｄ及び回動領域１３ｃが、腰ベルト１５より上方に突出するように設けられている。
本実施形態では、２組の腰ベルト１５が収容部１３の両側縁に離脱不能に固定されて内外に重ねて配置されている。具体的には、基部領域１３ｂ上下方向長さと略同等の幅を有する。また、面ファスナを有する第１腰ベルト１５ａと、第１腰ベルト１５ａの外周側に設けられて連結用のバッグル部１５ｃを有する第２腰ベルト１５ｂと、を備えている。
【００４０】
本実施形態のヒップシート１０では、収容部１３を装着者の腹部に配置し、面ファスナを有する第１腰ベルト１５により弛み無く装着者Ａの腰部Ａ１に装着し、その外周からバッグル部１５ｃを有する第２腰ベルト１５により装着者Ａの腰部Ａ１に強固に装着することで、収容部１３の基部領域１３ｂをしっかりと装着者Ａに当接して支持することができる。この面ファスナについては、面ファスナを外すときの音を和らげることができるような静音性の面ファスナを採用することも可能である。
【００４１】
本実施形態のヒップシート１０には、図１３に示すような形状を有して乳幼児Ｂに装着可能な安全ベルト３５が着脱可能に設けられている。
安全ベルト３５は正面視で略Ｔ字形状を有し、柔軟性を有して非伸縮性の材料により形成されている。下端部には図１４に示すように、収容部１３の座部領域１３ｄと基部領域１３ｂとの境界となる回動領域１３ｃ付近に設けられたベルト接続部１３ｅに、接続可能なベルト接続端部３７が設けられている。本実施形態ではベルト接続部１３ｅに設けられたファスナにベルト接続端部３７のファスナを噛合することで接続されるように構成されている。
【００４２】
安全ベルト３５の残りの端部には互いに係脱可能なバッグル部３９が設けられており、乳幼児Ｂの胴部Ｂ２の周りに安全ベルト３５を環状に配置してバッグル部３９を係合することで、乳幼児Ｂを安全ベルト３５により支持可能となっている。
この安全ベルト３５は、不使用時には取り外してウエストバッグ部３３などに収容していてもよい。
【００４３】
本実施形態のヒップシート１０を用いて乳幼児Ｂを着座姿勢で支持するには、第１腰ベルト１５ａ及び第２腰ベルト１５ｂによりヒップシート１０を装着者Ａの腰部Ａ１にしっかりと固定した後、図１５に示すように、収容部１３に収容された台座１１を屈曲させて、基部１７に対して座部１９を適切な回動角度にして前方に突出させる。
【００４４】
これにより基部１７の支持面１７ａを装着者Ａに沿って配置し、座部１９の座面１９ａを上向きに配置され、収容部１３が台座１１に応じて変形する。これにより座部１９の座面１９ａと収容部１３の座部領域１３ｄとの間に座部カバー１９のクッション材を介在させる。そして、安全ベルト１５のベルト接続端部３７を収容部１３のベルト接続部１３ｅに接続して配置する。
この状態で、乳幼児を前向き又は装着者側となる後向きで、着座姿勢にするとともに、乳幼児Ｂの胴部Ｂ２に安全ベルト３５を装着することで、乳幼児Ｂを着座姿勢で支持することができる（図１６）。
【００４５】
次に、このようなヒップシート１０を用いた本実施形態のベビーキャリア４０について説明する。
ベビーキャリア４０は、図１〜図３に示すように、ヒップシート１０に胴パッド４１及び肩ベルト４３を装着して構成されている。
【００４６】
胴パッド４１は、適度な柔軟性を有する材料により、乳幼児Ｂの胴部Ｂ２の広い面積を支持できる形状に形成されている。胴パッド４１の下端部には、ヒップシート１０の収容部１３における座部領域１３ｄの先端部に設けられたパッド接続部１３ｆに接続可能なパッド接続端部４５が設けられている。本実施形態ではパッド接続部１３ｆに設けられたファスナにパッド接続端部４５のファスナを噛合することで接続されるように構成されている。
このように接続されることで、ヒップシート１０の収容部１３と胴パッド４１とが一体に連続した状態で、乳幼児Ｂの胴部Ｂ２を支持することが可能となる。
【００４７】
この胴パッド４１の頂部には、図中に仮想線で示すような乳幼児Ｂの頭部を覆う頭部被覆部４７が設けられている。不使用時には、取り外してウエストバッグ部３３に収容するか丸めてフード止め４７ａで止めておく。
本実施形態の胴パッド４１の装着者Ａと対向しない外側面には、各種のポケットや収容部が設けられているが、詳細な図示は省略している。
【００４８】
肩ベルト４３は、胴パッド４１の上下方向中間位置に設けられている。特に限定されるものではないが、肩ベルト４３の上部側には、胴パッド４１と同様の素材により形成された上部肩ベルト４３ａが設けられ、先端側で下部肩ベルト４３ｂと接続されている。
本実施形態では乳幼児Ｂの肩部Ｂ３が、胴パッド４１または上部肩ベルト４３ａにより外側から覆う位置及び形状に形成されている。
【００４９】
ベビーキャリア４０を使用するには、ヒップシート１０の収容部１３のパッド接続部１３ｆに胴パッド４１のパッド接続端部４５を接続すればよく、胴パッド４１及び収容部１３と装着者Ａとの間に、乳幼児を支持し、胴パッド４１の肩ベルト４３とヒップシート１０の腰ベルト１５とをそれぞれ装着者Ａの肩部Ａ３と腰部とに装着することで、乳幼児Ｂを保持することが可能である。
【００５０】
以上のような本実施形態のヒップシート１０によれば、装着者Ａの身体に沿って配置可能な基部１７と乳幼児Ｂの臀部Ｂ１を載置可能な座面１９ａを有する座部１９とを有する台座１１と、台座１１に対応した形状を有して台座１１を収容する収容部１３と、収容部１３に接続された腰ベルト１５とを備えている。
【００５１】
そのため収容部１３に台座１１を収容して腰ベルト１５を装着者Ａの腰に装着すれば台座１１を装着者Ａに確実に固定できる。そして台座１１の強度を確保することで、乳幼児Ｂの体重を座部１９の座面１９ａで受け止めて基部１７により装着者Ａの身体で支えることができ、台座１１を介して乳幼児Ｂの体重を装着者Ａの身体で直接しっかりと支えることができる。
【００５２】
また、台座１１は基部１７と座部１９とが回動可能で回動角度を調整及び保持可能である。そのため乳幼児Ｂを着座姿勢で支えるときには、収容部１３に収容している台座１１の基部１７に対して座部１９が前方に突出させて角度を調整することにより、装着者Ａは乳幼児Ｂとの適切な密着度を選択することが可能となる。
【００５３】
一方、乳幼児Ｂを着座させないときは、基部１７と座部１９とを出来るだけ折り曲げたり平らにして邪魔になり難い形態にすれば、任意の場所に収容できて着座させないときにも使い勝手がよい。
【００５４】
さらに装着者Ａの腰部Ａ１に装着可能な腰ベルト１５が、収容部１３における基部１７を収容する基部領域１３ｂに接続されているので、腰ベルト１５によりヒップシート１０を装着者Ａに確実に装着した状態であっても、座部１９を容易に回動させて回動角度を調整でき、乳幼児Ｂとの適切な密着度を選択することが可能である。
【００５５】
本実施形態のヒップシート１０は、基部１７が装着者Ａの身体により支持可能な支持面１７ａを有しており、この支持面１７ａにはクッション材が被覆されている。そのため、ヒップシート１０に乳幼児Ｂを着座させた際、クッション材が装着者Ａに身体に押し付けられつつ、支持面１７ａによって乳幼児Ｂの体重を支えることができ、ヒップシート１０に乳幼児Ｂを着座させ易い。
また、支持面１７ａにクッション材を被覆しなくとも、台座１１を覆うカバー１１ａにクッション材を備えることで、同様の効果を得ることが可能である。
【００５６】
本実施形態のヒップシート１０では、収容部１３における座部１９を収容する座部領域１３ｄと基部領域１３ｂとの境界付近の座面１９ａ側に、乳幼児Ｂに装着可能な安全ベルト３５が設けられている。そのため、座面１９ａに着座姿勢で支持された乳幼児Ｂを安全ベルト３５を装着して安全に保持することができる。しかも、腰ベルト１５により装着者Ａに固定される基部領域１３ｂ付近の座面１９ａ側に安全ベルト３５が設けられているため、乳幼児Ｂをしっかりと支持することができ、乳幼児Ｂがヒップシート１０から前屈し落下する事故を防止できる。
【００５７】
本実施形態のヒップシート１０では、収容部１３の基部領域１３ｂが装着者Ａの身体との対向面以外の領域にウエストバッグ部３３を有している。そのため台座１１の座部１９を突出させて乳幼児Ｂを着座姿勢で支持するときでも、乳幼児Ｂを着座姿勢で支持しないときでも、ウエストバッグ部３３を同じ形状で使用可能である。これによりウエストバッグ部３３を使用した状態で乳幼児Ｂを着座姿勢で支持するか否かを自由に選択できる。
【００５８】
本実施形態のヒップシート１０では、台座１１の角度調整部２３が座部１９の座面１９ａとは反対面の中間位置に設けられている。そのため使用時に動作部分を有する角度調整部２３が乳幼児Ｂ側に接触するおそれがなく、安全性を向上できる。
【００５９】
本実施形態のベビーキャリア４０によれば、上述のようなヒップシート１０の収容部１３における座部領域１３ｄの先端部に胴パッド４１が着脱可能に連結され、胴パッド４１に肩ベルト４３が接続されている。そのため胴パッド４１を取り外した状態では、上述のようなヒップシート１０として使用できる。
【００６０】
そして胴パッド４１を取り付けた状態では、ヒップシート１０の収容部１３の座部領域１３ｄと胴パッド４１とが連続した状態で乳幼児Ｂの臀部Ｂ１及び胴部Ｂ２を保持できる。
台座１１を適宜な角度で傾斜させ、乳幼児Ｂを収容部１３の座部領域１３ｄ及び胴パッド４１によって保持することで、装着者Ａとの適切な密着度を選択することができる。
【００６１】
いずれの状態であっても、さらに肩ベルト４３を装着者Ａの肩に装着するとともにヒップシート１０の腰ベルト１５を装着者Ａの腰に装着することで、乳幼児Ｂを保持したベビーキャリア４０を装着者Ａに安定して装着できる。これによりヒップシート１０の座部領域１３ｄ及び胴パッド４１により乳幼児Ｂを抱くようにして、しっかりと支えることが可能である。
【００６２】
しかも胴パッド４１が座部領域１３ｄの先端部に着脱可能なため、ヒップシート１０とベビーキャリア４０との切替が容易で、装着者Ａがヒップシート１０を装着した状態のまま胴パッド４１を着脱して切り替えることができ、使い勝手がよい。
その結果、乳幼児Ｂをしっかりと支えることができて使い勝手がよいベビーキャリア４０となっている。
【００６３】
なお上記実施形態は、本発明の範囲内において適宜変更可能である。
例えば、上記実施形態では台座１１の基部１７及び座部１９のいずれも立体形状を有する略板状の部材により形成した例について説明したが、基部１７が略板状の部材で、座部１９が棒状やフレーム状であってもよく、また、基部１７及び座部１９を棒状やフレーム状に形成してもよい。
さらに、台座１１の角度を調整する角度調整部２３についてもラチェット機構に限定することなく、他の機構によって台座１１の角度を調整してもよい。
【符号の説明】
【００６４】
Ａ  装着者
Ａ１  腰部
Ａ３  肩部
Ｂ  乳幼児
Ｂ１  臀部
Ｂ２  胴部
Ｂ３  肩部
１０  ヒップシート
１１  台座
１３  収容部
１３ａ  開口部
１３ｂ  基部領域
１３ｃ  回動領域
１３ｄ  座部領域
１３ｅ  ベルト接続部
１３ｆ  パッド接続部
１５  腰ベルト
１５ａ  第１腰ベルト
１５ｂ  第２腰ベルト
１５ｃ  バッグル部
１７  基部
１７ａ  支持面
１７ｂ  リブ
１７ｃ  クッション材
１９  座部
１９ａ  座面
１９ｂ  リブ
２１  回動部
２３  角度調整部
２５  カバー部材
２７  基部カバー
２９  座部カバー
３１  帯状カバ−
３３  ウエストバッグ部
３５  安全ベルト
３７  ベルト接続端部
３９  バッグル部
４０  ベビーキャリア
４１  胴パッド
４３  肩ベルト
４３ａ  上部肩ベルト
４３ｂ  下部肩ベルト
４５  パッド接続端部
４７  頭部被覆部
４７ａ  フード止めベルト
【図１】
0006921431.tif 000002
【図２】
0006921431.tif 000003
【図３】
0006921431.tif 000004
【図４】
0006921431.tif 000005
【図５】
0006921431.tif 000006
【図６】
0006921431.tif 000007
【図７】
0006921431.tif 000008
【図８】
0006921431.tif 000009
【図９】
0006921431.tif 000010
【図１０】
0006921431.tif 000011
【図１１】
0006921431.tif 000012
【図１２】
0006921431.tif 000013
【図１３】
0006921431.tif 000014
【図１４】
0006921431.tif 000015
【図１５】
0006921431.tif 000016
【図１６】
0006921431.tif 000017